(57)【要約】【課題】コンロが備える手動操作部を操作して、コンロバーナの火力の変更を行ったときに、変更後の火力を目視によらず簡潔に確認できるガスコンロを提供する。【解決手段】火力指令用操作部（バーナ操作部）２１を正方向および逆方向に手動操作することによりコンロバーナ１の火力の増大および減少を指令する火力増加信号および火力減少信号を出力する信号出力部（制御部）と、信号出力部から出力された信号に基づいて火力調節手段（流量調節弁）３を駆動し、コンロバーナの火力を予め設定された複数段階の火力のうちのいずれかの火力に調節する、手動操作火力制御を実行する制御手段（制御部）とを備えたガスコンロにおいて、複数段階の火力のそれぞれに対応して音階が割り当てられ、制御手段が火力調節手段を駆動して火力調節を行ったときに、制御手段が、変更された後の火力（変更後火力）に対応して割り当てられた音階によって報知を行うように構成する。【選択図】図３
2014215009.tif 000002
【特許請求の範囲】
【請求項１】
火力指令用操作部を正方向および逆方向に手動操作することによりコンロバーナの火力の増大および減少を指令する火力増加信号および火力減少信号を出力する信号出力部と、
前記信号出力部から出力された信号に基づいて火力調節手段を駆動し、前記コンロバーナの火力を予め設定された複数段階の火力のうちのいずれかの火力に調節する、手動操作火力制御を実行する制御手段と
を備えたガスコンロにおいて、
前記複数段階の火力のそれぞれに対応して、所定の異なる音（以下、「火力識別音」という）であって、所定の音階をなすような火力識別音が割り当てられ、前記制御手段が前記火力調節手段を駆動して前記コンロバーナの火力を前記複数段階の火力のうちの一の火力から、該火力より一段大きい火力または一段小さい火力に変更する火力調節を行ったときに、前記制御手段が、変更された後の火力（以下、「変更後火力」という）に対応して割り当てられた前記火力識別音によって報知を行うように構成されていること
を特徴とするガスコンロ。
【請求項２】
前記制御手段は、前記火力調節を行って前記コンロバーナの火力を前記変更後火力に変更した後、所定の報知時間が経過した時点で、前記報知を停止することを特徴とする請求項１記載のガスコンロ。
【請求項３】
現在火力報知指令入力部を備え、この現在火力報知指令入力部が操作されたときに、前記制御手段は、前記現在火力報知指令入力部の操作時点における前記コンロバーナの火力に対応して割り当てられた前記火力識別音を報知することを特徴とする請求項１または２記載のガスコンロ。
【請求項４】
予め定められた特定の手順によって前記火力指令用操作部が操作されたときに、前記現在火力報知指令入力部が操作されたものとするように構成されていることを特徴とする請求項１〜３のいずれかに記載のガスコンロ。
【請求項５】
前記火力指令用操作部を前記正方向に手動操作した後の所定時間以内に前記火力指令用操作部を前記逆方向に手動操作したとき、若しくは前記火力指令用操作部を前記逆方向に手動操作した後の所定時間以内に前記火力指令用操作部を前記正方向に手動操作したときには、前記制御手段が前記手動操作火力制御を実行することなく、前記現在火力報知指令入力部が操作されたものとするように構成されていることを特徴とする請求項４に記載のガスコンロ。
【請求項６】
前記火力識別音の種類が選択可能に構成されていることを特徴とする請求項１〜５のいずれかに記載のガスコンロ。
【発明の詳細な説明】
【技術分野】
【０００１】
本発明は、ガスコンロに関し、詳しくは、ガスコンロが備えるバーナの火力変更の確認の容易性および信頼性を向上させるための技術に関する。
【背景技術】
【０００２】
ガスコンロの中には、コンロバーナの火力を複数段階の火力のうちのいずれか一つ段階の火力に調節した場合に、調節された火力を表示するように構成されたガスコンロがある。
【０００３】
そのようなガスコンロ（加熱調理器）として、例えば、正転方向および逆転方向の回転操作に伴って調理用のコンロバーナの火力の増大および減少を指令する回転操作部と、回転操作部の回転操作に伴ってパルス信号を出力するように構成されたエンコーダとを備え、エンコーダから出力されるパルス信号に基づいて、回転操作部の回転操作方向並びに回転操作量を判別し、判別した回転操作方向並びに回転操作量に対応させて火力調節手段を駆動してコンロバーナの火力を複数段階に調節する制御手段とを備えたガスコンロであって、複数段階のうちのいずれか一つの火力に調節されたコンロバーナの火力を表示する表示部を備えたガスコンロ（加熱調理器）が提案されている（特許文献１参照）。
【０００４】
そして、この特許文献１の加熱調理器（ガスコンロ）によれば、手動で火力を調節する際に火力指令用操作部を使用者が正方向あるいは逆方向に手動操作することにより、調理用のコンロバーナの火力の確認を行うことが可能で、火力の調節（増大および減少）を行った後の火力を表示する火力表示部により変更後の火力を確認することができる。  
【０００５】
しかしながら、特許文献１の加熱調理器（ガスコンロ）において、変更後の火力を確認するためには火力表示部を目視により確認しなければならず、使用状況によっては火力の確認を行いにくい場合がある。
【０００６】
また、加熱調理器（ガスコンロ）の火力指令用操作部を操作する場合、加熱部によって加熱される調理容器の内容物の状態やコンロバーナの炎の状態を確認しながら行うことが必要になる場合があるが、そのような場合に、変更後の火力を確認するために、変更のたびに火力表示部を目視により確認するのは煩わしい場合があり、改善が望まれていた。
【先行技術文献】
【特許文献】
【０００７】
【特許文献１】特開２０１０−２５５９４９号公報
【発明の概要】
【発明が解決しようとする課題】
【０００８】
本発明は、上記課題を解決するものであり、使用者が、コンロが備える手動操作部を操作して、コンロバーナの火力の変更を行ったときに、変更後の火力を目視によらず簡潔に確認することが可能なガスコンロを提供することを目的とする。
【課題を解決するための手段】
【０００９】
上記の目的を達成するために、本発明のガスコンロは、
火力指令用操作部を正方向および逆方向に手動操作することによりコンロバーナの火力の増大および減少を指令する火力増加信号および火力減少信号を出力する信号出力部と、
前記信号出力部から出力された信号に基づいて火力調節手段を駆動し、前記コンロバーナの火力を予め設定された複数段階の火力のうちのいずれかの火力に調節する、手動操作火力制御を実行する制御手段と
を備えたガスコンロにおいて、
前記複数段階の火力のそれぞれに対応して、所定の異なる音（以下、「火力識別音」という）であって、所定の音階をなすような火力識別音が割り当てられ、前記制御手段が前記火力調節手段を駆動して前記コンロバーナの火力を前記複数段階の火力のうちの一の火力から、該火力より一段大きい火力または一段小さい火力に変更する火力調節を行ったときに、前記制御手段が、変更された後の火力（以下、「変更後火力」という）に対応して割り当てられた前記火力識別音によって報知を行うように構成されていること
を特徴としている。
【００１０】
また、本発明のガスコンロにおいて、前記制御手段は、前記火力調節を行って前記コンロバーナの火力を前記変更後火力に変更した後、所定の報知時間が経過した時点で、前記報知を停止することが好ましい。
【００１１】
また、現在火力報知指令入力部を備え、該現在火力報知指令入力部が操作されたときに、前記制御手段は、前記現在火力報知指令入力部の操作時点における前記コンロバーナの火力に対応して割り当てられた前記火力識別音を報知することが好ましい。
【００１２】
また、予め定められた特定の手順によって前記火力指令用操作部が操作されたときに、前記現在火力報知指令入力部が操作されたものとするように構成されていることが好ましい。
【００１３】
また、前記火力指令用操作部を前記正方向に手動操作した後の所定時間以内に前記火力指令用操作部を前記逆方向に手動操作したとき、若しくは前記火力指令用操作部を前記逆方向に手動操作した後の所定時間以内に前記火力指令用操作部を前記正方向に手動操作したときには、前記制御手段が前記手動操作火力制御を実行することなく、前記現在火力報知指令入力部が操作されたものとするように構成されていることが好ましい。
【００１４】
また、前記火力識別音の種類が選択可能に構成されていることが好ましい。
【発明の効果】
【００１５】
本発明のガスコンロは、複数段階の火力のそれぞれに対応して、所定の異なる音（火力識別音）であって、所定の音階をなすような火力識別音が割り当てられ、制御手段が火力調節手段を駆動して火力調節を行ったときに、制御手段が、変更された後の火力（変更後火力）に対応して割り当てられた火力識別音によって報知を行うように構成されているので、使用者がコンロバーナの火力を変更したときに、変更後の火力を目視によらず簡潔に確認することが可能で、利便性が高く、使用感に優れたガスコンロを提供することができる。
【００１６】
また、本発明のガスコンロにおいては、制御手段が、火力調節を行ってコンロバーナの火力を変更後火力に変更した後、所定の報知時間が経過した時点で、報知を停止するように構成されているため、報知が継続することによる煩わしさを排除することが可能になるとともに、エネルギーの無駄を省くことが可能になる。
【００１７】
また、現在火力報知指令入力部を備え、該現在火力報知指令入力部が操作されたときに、制御手段が、現在火力報知指令入力部の操作時点におけるコンロバーナの火力に対応して割り当てられた火力識別音を報知するような構成とした場合、コンロバーナのその時点（現在火力報知指令入力部の操作時点）の火力を火力識別音の報知によって容易かつ簡潔に知ることができるため、使い勝手を向上させることができる。
【００１８】
また、予め定められた特定の手順によって火力指令用操作部が操作されたときに、現在火力報知指令入力部が操作されたものとするように構成した場合、報知開始指令入力部を別途設けることが不要になり、コストの低減を図ることができる。
【００１９】
また、火力指令用操作部を正方向に手動操作した後の所定時間以内に火力指令用操作部を逆方向に手動操作したとき、若しくは火力指令用操作部を逆方向に手動操作した後の所定時間以内に火力指令用操作部を正方向に手動操作したときには、制御手段が手動操作火力制御を実行することなく、現在火力報知指令入力部が操作されたものとするようにした場合、火力指令用操作部を正方向に手動操作した後の所定時間以内に火力指令用操作部を逆方向に手動操作する、もしくは火力指令用操作部を逆方向に手動操作した後の所定時間以内に火力指令用操作部を正方向に手動操作するという、簡単で、しかも、現在火力の報知を行うための操 作であることを使用者が認識し易い手順で火力指令用操作部が操作されたときに、現在火力報知指令入力部が操作されたものとすることが可能となるので、誤操 作を防止するとともに、操作性を向上させることができる。つまり、火力指令用操作部を正方向に手動操作した後の所定時間以内に火力指令用操作部を逆方向に手動操作する、もしくは火力指令用操作部を逆方向に手動操作した後の所定時間以内に火力指令用操作部を正方向に手動操作するという手順による操作は、火力指令用操作部を正方向に手動操作した後に火力指令用操作部を元の状態に戻す、もしくは火力指令用操作部を逆方向に手動操作した後に火力指令用操作部を元の状態に戻すという操作に近似しており、この火力指令用操作部を元の状態に戻すという操作に近似する操作にて現在火力報知指令入力部の操作を代用することになり、誤操作を防止するとともに、操作性を向上させることが可能になる。
【００２０】
また、火力識別音の種類が選択可能に構成されている場合、使用者の好みに応じて音が選択できるので使用感を向上させることができる。
【図面の簡単な説明】
【００２１】
【図１】本発明の一実施形態（実施形態）にかかるグリル付きガスコンロの外観構成を示す図である。
【図２】(ａ)，(ｂ)，(ｃ)は、本発明の実施形態にかかるグリル付きガスコンロのバーナ操作部を示す図である。
【図３】本発明の実施形態にかかるグリル付きガスコンロの構成を示す図である。
【発明を実施するための形態】
【００２２】
以下、本発明の実施形態を示して、その特徴とするところをさらに詳しく説明する。
【００２３】
［実施形態］
(１)ガスコンロ（加熱調理器）の基本的な構成
図１〜３は本発明の実施形態にかかるガスコンロ（グリル付きガスこんろ）の構成を示す図である。
【００２４】
このグリル付きガスコンロは、図１に示すように、コンロバーナ１（標準バーナ１ａ、高火力バーナ１ｂ、および小バーナ１ｃの３つのバーナ）を備えており、トッププレートの上部に、標準バーナ１ａ、高火力バーナ１ｂ、および小バーナ１ｃに対する鍋などの被加熱物（調理物）を受け止め、支持するための五徳５１が載置されている。
【００２５】
そして、標準バーナ１ａには、被加熱物（例えば、調理容器である鍋の底）に接触してその温度を検出するためのサーミスタからなる温度センサ（鍋底温度センサ）９が、その中央を貫通するように配設されている。
なお、この温度センサ９を備えた標準バーナ１ａにより、炊飯、湯沸かし、揚げものなどの温調調理を行うことができる。
【００２６】
また、グリル部４は、前面部が開口した箱状に形成されたグリル庫内に、魚などの被調理物を載置するための載置部として機能する焼き網を設けて構成されている。また、グリル庫内には、１つの上側バーナ２ａ（図３参照）と２つの下側バーナ２ｂ，２ｃ（図３参照）が配設されている。
【００２７】
さらに、ガスコンロの前側面には、上述のコンロバーナ１とグリルバーナの点火および消火、火力調節と各種の設定とを指令する手動操作部３４（図１参照）が設けられている。
【００２８】
また、各種の制御を実行するように構成された制御部（制御手段）（図３参照）を備えている。制御部は、手動操作部３４（図１）にて指令された指令情報に基づいて、コンロバーナ１（１ａ，１ｂ，１ｃ）およびグリルバーナ（２ａ，２ｂ，２ｃ）の燃焼状態などを制御するように構成されている。
また、ガスコンロ前側面には、自動復帰型の押し操作式の電源スイッチ２４が設けられている。
【００２９】
上記手動操作部３４は、コンロバーナ１（標準バーナ１ａ、高火力バーナ１ｂ、小バーナ１ｃ）の夫々に対して各別に点火・消火や火力調節を指令するための３つの加熱状態調節部２１（標準バーナ操作部２１ａ、高火力バーナ操作部２１ｂ、小バーナ操作部２１ｃ）、標準バーナ１ａの温調機能（湯沸かし、揚げ物、炊飯）とタイマ機能についての操作および表示を行う標準バーナ１ａ用の付加機能操作・表示部３２、グリルバーナ（上側バーナ２ａと２つの下側バーナ２ｂ，２ｃ）の火力調節などを行うグリルバーナ操作部２２、グリルバーナの作動状態の切り換えを指令するグリル用の付加機能操作・表示部３３などを備えている。
【００３０】
なお、器具本体１０の前面右上に配置された電源スイッチ２４をＯＮにして電源ランプ２５が点灯した後に、標準バーナ操作部２１ａ、高火力バーナ操作部２１ｂ、および小バーナ操作部２１ｃを押し込み操作することにより、標準バーナ１ａ、高火力バーナ１ｂ、および小バーナ１ｃが点火するとともに、各バーナ操作部（加熱状態調節部）２１ａ，２１ｂ，２１ｃが内部から飛び出して、火力調節を行うことができるように構成されている（図２（ｂ）参照）。
【００３１】
この実施形態にかかるガスコンロにおいては、加熱状態調節部２１（標準バーナ操作部２１ａ、高火力バーナ操作部２１ｂ、小バーナ操作部２１ｃ）が本発明における火力指令用操作部として機能するように構成されている。
【００３２】
なお、各バーナ１ａ，１ｂ，１ｃに点火した場合には、燃焼表示ランプ２３（図２）が点灯して、点火を確認することができるように構成されている。
また、各バーナ操作部２１ａ，２１ｂ，２１ｃを再度押し込むことにより、各バーナ１ａ，１ｂ，１ｃの消火動作が実行されるとともに、各バーナ操作部２１ａ，２１ｂ，２１ｃが器具本体１０の内部に収納されるように構成されている。（図２（ａ）参照。）
【００３３】
なお、各バーナ１ａ，１ｂ，１ｃの消火動作が終わった場合には、燃焼表示ランプ２３が消灯して、消火を確認することができるように構成されている。
また、グリルバーナ操作部２２についても、各バーナ操作部２１ａ，２１ｂ，２１ｃと同様に構成されている。
なお、このような操作部の構成は周知であることから、ここでは詳細な説明を省略する。
【００３４】
また、図１に示すように、器具本体１０の前面の左側下部には、いわゆるカンガルーポケット機構により、使用時には手前、下側に回動して操作および表示が可能な操作・表示位置に移行でき、使用しないときには、器具本体１０の内部に保持できるように構成された、標準バーナ１ａや高火力バーナ１ｂなどについての追加機能操作をするための付加機能操作・表示部３２が設けられている。ただし、図１では、付加機能操作・表示部３２がカンガルーポケット機構により収容された状態を示している。
【００３５】
なお、この実施形態のガスコンロでは、付加機能操作・表示部３２により、例えば、標準バーナ１ａの温調機能（湯沸し、揚げ物、炊飯）とタイマ機能についての操作および表示を行うことができるように構成されている。
【００３６】
さらに、図１に示すように、器具本体１０の前面の右側下部には、使用しないときには器具本体１０の内部に収納され、使用時には操作・表示位置に移行できるように構成された、グリルバーナのオート調理機能（メニュー、焼き加減）とタイマ機能についての操作および表示を行うグリル用の付加機能操作・表示部３３が配設されている。
【００３７】
なお、グリル用の付加機能操作・表示部３３は、上述の標準バーナ１ａ用の付加機能操作・表示部３２と同様に、いわゆるカンガルーポケット機構により、使用時には前・下側に回動して操作および表示が可能な操作・表示位置に移行でき、使用しない時には器具本体１０の内部に保持できるように構成されている。
なお、このようないわゆるカンガルーポケット機構は周知であるので詳細な説明は省略する。
【００３８】
また、図３に示すように、標準バーナ１ａ、高火力バーナ１ｂ、小バーナ１ｃの夫々には、点火作動を実行する点火装置としての点火プラグ７および着火状態を検出するための熱電対８が設けられ、グリルバーナにおけるバーナ（上側バーナ２ａ、下側バーナ２ｂ，２ｃ）の夫々にも、点火作動を実行する点火装置としての点火プラグ７および着火状態を検出するための熱電対８が設けられている。
【００３９】
コンロバーナ１およびグリルバーナへのガス供給に関する構成は以下のとおりである。
元ガス供給路（主ガス配管）１１に元ガス電磁弁１２が設けられ、この元ガス供給路１１から、標準バーナ用分岐路１３ａ、高火力バーナ用分岐路１３ｂ、小バーナ用分岐路１３ｃ、グリルバーナ用分岐路１３ｄに分岐されている。
【００４０】
これらの各分岐路の夫々には、ガス量を調節して各バーナの加熱量を調節する流量制御弁（ステッピングモータにより駆動されるガス量調節弁）３と、その開度位置を検出する位置センサ１９が設けられている。なお、この実施形態にかかるガスコンロでは、前記流量制御弁３が本発明における火力調節手段として機能するように構成されている。
【００４１】
加熱状態調節部２１（標準バーナ操作部２１ａ、高火力バーナ操作部２１ｂ、小バーナ操作部２１ｃ）（図１，２）が器具本体１０の前面から突出した燃焼状態で、加熱状態調節部２１（２１ａ，２１ｂ，２１ｃ）を指で摘んで回動操作するとこれがロータリーエンコーダ（図示せず）により検出され、制御部に入力される。
【００４２】
制御部は、ロータリーエンコーダからの信号に応じ、ステッピングモータを駆動することによりコンロ部のガス量を制御する。
なお、炊飯モード、湯わかしモードなどの温調制御を行うときは、加熱状態調節部２１（２１ａ，２１ｂ，２１ｃ）の回動操作位置によらず、制御に適した値となるようにコンロ部のガス量が制御される。
【００４３】
また、火力調節手段である流量制御弁３（図３）は、調節流量を零にする遮蔽状態にも切り換え可能に構成されている。
なお、この実施形態のガスコンロでは、上記のようにステッピングモータにより駆動される流量制御弁（ガス量調節弁）３が設けられているが、機械式にガス量制御される場合も、機械式の手動ガス量調節弁と直列にガス量制限のためのガス電磁弁を装備することにより、各モード処理の実行が可能である。
ただし、機械式の手動ガス量調節弁を用いる場合は、各モード実行の前に、使用者が手動調節弁を最大ガス量位置に調節しておくことにより確実な制御が実行される。
【００４４】
なお、本実施形態のようにステッピングモータにより駆動されるガス量調節弁が設けられている場合は、各モード実行時のガス量調節位置に関わらず、制御部は、最小から最大の範囲で任意のガス量に制御することが可能であることから、各モード実行の前の使用者による最大ガス量位置への調節の必要はない。
【００４５】
このガスコンロではタイマ調理が実行可能であり、標準バーナ１ａ用の付加機能操作・表示部３２の、タイマ設定部（図示せず）を操作して、タイマ調理用残時間を設定して標準バーナ１ａによる加熱を開始すると、標準バーナ１ａによるタイマ調理が実行される。
【００４６】
タイマ調理の実行中は、タイマ調理用残時間が時間の経過とともに減少して更新されるとともに、タイマ表示部（図示せず）に表示される。
そして、更新されたタイマ調理用残時間がゼロになった時点で標準バーナ１ａによる加熱を停止してタイマ調理を終了する、いわゆる減算式タイマによるタイマ調理機能を備えている。
【００４７】
（２）火力調節を行った場合の火力識別音による報知（本発明の特徴的な構成）
上述のように、この実施形態にかかるガスコンロは、図２（ａ）に示すように、本発明において火力指令用操作部として機能する各バーナ操作部２１（例えば、標準バーナ操作部２１ａ、高火力バーナ操作部２１ｂ、および小バーナ操作部２１ｃ（図１））が器具本体１０（図１）の前側面内部に収納された状態にあるときに、バーナ操作部２１を押し込み操作することにより、バーナ１（例えば、標準バーナ１ａ、高火力バーナ１ｂ、および小バーナ１ｃ（図１，３））が点火するとともに、図２（ｂ）に示すようにバーナ操作部２１（例えば、標準バーナ操作部２１ａ、高火力バーナ操作部２１ｂ、および小バーナ操作部２１ｃ（図１））が器具本体１０の前側面内部から飛び出して、火力調節を行うことができるように構成されている。
【００４８】
すなわち、このガスコンロは、バーナ操作部（火力指令用操作部）２１（例えば、標準バーナ操作部２１ａ、高火力バーナ操作部２１ｂ、および小バーナ操作部２１ｃ（図１））を正方向および逆方向に手動操作した場合、信号出力部である制御部（制御手段）（図３）が、コンロバーナ１（例えば、標準バーナ１ａ、高火力バーナ１ｂ、および小バーナ１ｃ（図１，３））の火力の増大および減少を指令する火力増加信号および火力減少信号を出力するとともに、信号出力部（制御部）（図３）から出力された信号に基づいて火力調節手段（流量制御弁３）が駆動され、コンロバーナ（例えば、標準バーナ１ａ、高火力バーナ１ｂ、および小バーナ１ｃ（図１））の火力を予め設定された複数段階（この実施形態では標準バーナ１ａおよび高火力バーナ１ｂでは５段階、小バーナ１ｃでは３段階）の火力のうちのいずれかの火力に調節することができるように構成されている。
【００４９】
さらに詳しく説明すると、このガスコンロにおいては、コンロバーナ１（例えば、標準バーナ１ａ、高火力バーナ１ｂ、および小バーナ１ｃ（図１，３））に点火した場合には、燃焼表示ランプ２３が点灯して、点火を確認することができるように構成されており、また、燃焼表示ランプ２３は、コンロバーナ１（例えば、標準バーナ１ａ、高火力バーナ１ｂ、および小バーナ１ｃ（図１，３））の火力を表示する、本発明における「火力表示部」として機能するように構成されている。
【００５０】
つまり、例えば、標準バーナ１ａ（図１，３）は火力が、小さい火力から大きい火力に向かって、火力１、火力２、火力３、火力４、火力５の順に５段階に調節可能であり、標準バーナ操作部２１（２１ａ）の周囲に配置されている５個の燃焼表示ランプ２３の内の、そのときの火力に対応するいずれか１個の燃焼表示ランプ２３が点灯して、標準バーナ１ａの火力が表示されることになる。
【００５１】
加えて、上記５段階の火力（すなわち、火力１、火力２、火力３、火力４、火力５）の夫々に対応して、火力識別音として、ハ長調の音階となる音（火力１：ド、火力２：レ、火力３：ミ、火力４：ファ、火力５：ソ）が割り当てられており、制御部（制御手段）（図３）が火力調節手段である流量制御弁３を駆動して標準バーナ１ａの火力を５段階の火力のうちの一の火力から、該火力より一段大きい火力または一段小さい火力（変更後の火力）に変更する火力調節を行ったときに、制御手段は、上記変更された後の火力（変更後火力）に対応して割り当てられた火力識別音によって報知を行う。なお、図２（ｃ）は標準バーナ１（１ａ）（図１）において火力５に対応する燃焼表示ランプ２３が点灯している状態を示しており、このときには、ハ長調のソの音が図３に示すブザーから発せられることになる。
【００５２】
このように構成することで、使用者が手動操作部（本発明における手動指令操作部）３４の操作によって標準バーナ１ａの火力の変更を行ったときに、変更後の火力を目視によらず音（火力識別音）により簡潔に確認することができるガスコンロを提供することが可能になる。
【００５３】
詳しく説明すると、使用者は、火力の変更を行った後に発せられるドレミファソのいずれか一つの音によって、変更された後の火力（変更後火力）が火力１、火力２、火力３、火力４、火力５のいずれであるかを知ることが可能になり、例えば、言葉により「火力１」、「火力２」、「火力３」、「火力４」、「火力５」などと報知される場合に比べて、感覚的に直感的に、すなわち、言葉での報知に比べて、短時間のうちに、変更された後の火力（変更後火力）を認識することができる。
【００５４】
また、高火力バーナ１ｂ（図１，３）は、火力が、小さい火力から大きい火力に向かって火力１´、火力２´、火力３´、火力４´、火力５´の順に５段階に調節可能であり、高火力バーナ１ｂ用の操作部２１（２１ｂ）の周囲に配置されている５個の燃焼表示ランプ２３の内のそのときの火力に対応するいずれか１個の燃焼表示ランプ２３が点灯して、高火力バーナ１ｂの火力が表示される。
【００５５】
加えて、上記５段階の火力、火力１´、火力２´、火力３´、火力４´、火力５´の夫々に対応してハ長調の音階となる音（火力１´：ド、火力２´：レ、火力３´：ミ、火力４´：ファ、火力５´：ソ）が割り当てられており、制御部（制御手段）が火力調節手段である流量制御弁３を駆動して高火力バーナ１ｂの火力を５段階の火力のうちの一の火力から、該火力より一段大きい火力または一段小さい火力（変更後火力）に変更する火力調節を行ったときに、制御手段は、上記変更された後の火力（変更後火力）に対応して割り当てられた音（火力識別音）によって報知を行う。
【００５６】
また、小バーナ１ｃ（図１，３）は火力が、小さい火力から大きい火力に向かって火力１´´、火力２´´、火力３´´の順に３段階に調節可能であり、小バーナ１ｃ用の操作部２１（２１ｃ）の周囲に配置されている３個の燃焼表示ランプ２３の内のそのときの火力に対応するいずれか１個の燃焼表示ランプ２３が点灯して、小バーナ１ｃの火力が表示される。
【００５７】
加えて、上記３段階の火力、火力１´´、火力２´´、火力３´´の夫々に対応してハ長調の音階となる音（火力１´´：ド、火力２´´：レ、火力３´´：ミ）が割り当てられており、制御部（制御手段）（図３）が火力調節手段である流量制御弁３を駆動して小バーナ１ｃの火力を３段階の火力のうちの一の火力から、該火力より一段大きい火力または一段小さい火力に変更する火力調節を行ったとき、制御手段は、上記変更された後の火力（変更後火力）に対応して割り当てられた音（火力識別音）によって報知を行う。
【００５８】
なお、制御部（制御手段）は、コンロバーナ１の火力を一の火力から、該火力より一段大きい火力または一段小さい火力に変更した後、所定の報知時間（例えば１秒）経過した後に、報知を停止するように構成されている。
【００５９】
また、各バーナ操作部２１ａ，２１ｂ，２１ｃを正方向に回転させる操作をした後、所定の確認用時間が経過するまでに逆方向に回転させる操作をした場合、もしくは、各バーナ操作部２１ａ，２１ｂ，２１ｃを逆方向に回転させる操作をした後、所定の確認用時間が経過するまでに正方向に回転させる操作をした場合には、制御部（制御手段）は火力調節手段である流量制御弁３を駆動せず、そのときの火力に割り当てられた音（火力識別音）による報知だけを行うように構成されている。
【００６０】
すなわち、（ａ）正方向に回転させる操作をした後に、所定の確認用時間以内に逆方向に回転させる操作をする、または、（ｂ）逆方向に回転させる操作をした後に、所定の確認用時間以内に正方向に回転させる操作をする、という特定の手順によって標準バーナ操作部２１ａが操作されたときには、そのときの標準バーナ１ａの火力に割り当てられている音（正方向または逆方向に回転させる動作をする前の、元の火力に割り当てられた音）による報知を行い、同様の特定の手順によって高火力バーナ操作部２１ｂが操作されたときには、そのときの高火力バーナ１ｂの火力に割り当てられている音（正方向または逆方向に回転させる動作をする前の、元の火力に割り当てられた音）による報知を行い、同様の特定の手順によって小バーナ操作部２１ｃが操作されたときには、そのときの小火力バーナ１ｃの火力に割り当てられている音（正方向または逆方向に回転させる動作をする前の、元の火力に割り当てられた音）による報知を行うように構成されており、各バーナ操作部２１ａ，２１ｂ，２１ｃが、その操作時点における各バーナ１ａ、１ｂ、１ｃの火力に対応して割り当てられた音（火力識別音）を報知する、現在火力報知指令入力部を兼用するように構成されている。
【００６１】
なお、バーナ操作部２１（２１ａ，２１ｂ，２１ｃ）を回転させる操作をした後、所定の確認用時間が経過するまでに逆方向に回転させる操作をしたときに、元の火力に割り当てられた音（火力識別音）による報知を行うように構成されている場合において、例えば、バーナ操作部２１を所定の方向に回転させて火力調節を行った場合に、所定時間（上記の例では１秒）が経過するまでは、変更後火力に割り当てられた音（火力識別音）による報知は行われず、上記一秒間が経過するまでバーナ操作部２１を逆方向に回転させる操作が行われないことが確認された後、変更後火力に割り当てられた音（火力識別音）による報知が行われることになる。
【００６２】
［変形例１］
上記実施形態では、５段階の火力または３段階の火力に対応する火力識別音が、ハ長調の音階となるように構成されているが、複数種類の音階（例えば、ト長調、イ短調など）から所望の音階を選択することができるような手段を備えた構成とすることも可能である。
【００６３】
［変形例２］
上記実施形態では、コンロバーナの火力の段階を５段階、または、３段階として、火力の調節を可能にしているが、コンロバーナの火力を５段階、３段階以外の複数段階の火力調節を行うように構成することも可能である。
【００６４】
［変形例３］
上記実施形態では、複数段階の一の火力に対して、ドレミファソのように連続した音階を構成する音のうちの一つの音を割り当てるように構成しているが、複数段階の一の火力に対して、ドレミファソのように連続した音階を構成する音のうちの一つの音を割り当てるのではなく、複数段階の一の火力に対して、ドミソドソのように分散和音のうちの一つの音を割り当てるように構成することも可能である。
【００６５】
［変形例４］
上記実施形態では、コンロバーナの火力を一の火力から、該火力より一段大きい火力または一段小さい火力（変更後の火力）に変更する火力調節を行った後、所定の報知時間（例えば１秒）経過した後に、報知を停止するように構成しているが、コンロバーナの火力を一の火力から所定の火力に変更した後、報知を間歇的に繰り返すように構成し、コンロバーナの火力を一の火力から、該火力より一段大きい火力または一段小さい火力（変更後の火力）に変更する火力調節を行った後、所定の報知時間経過した後も、報知を継続するように構成することも可能である。
【００６６】
本発明は、さらにその他の点においても上記実施形態や変形例に限定されるものではなく、発明の範囲内において、種々の応用、変形を加えることが可能である。
【符号の説明】
【００６７】
１      コンロバーナ
１ａ    標準バーナ
１ｂ    高火力バーナ
１ｃ    小バーナ
２ａ    上側バーナ
２ｂ    下側バーナ
２ｃ    下側バーナ
３      流量制御弁（ガス量調節弁）
４      グリル部
７      点火プラグ
８      熱電対
９      温度センサ
１０    器具本体
１１    元ガス供給路（主ガス配管）
１２    元ガス電磁弁
１３ａ  標準バーナ用分岐路
１３ｂ  高火力バーナ用分岐路
１３ｃ  小バーナ用分岐路
１３ｄ  グリルバーナ用分岐路
１９    位置センサ
２１    加熱状態調節部
２１ａ  標準バーナ操作部
２１ｂ  高火力バーナ操作部
２１ｃ  小バーナ操作部
２２    グリルバーナ操作部
２３    燃焼表示ランプ、火力表示部
２４    電源スイッチ
２５    電源ランプ
３２    付加機能操作・表示部
３３    グリル用の付加機能操作・表示部
５１    五徳
【図１】
2014215009.tif 000003
【図２】
2014215009.tif 000004
【図３】
2014215009.tif 000005